(57)【要約】【課題】  従来の裾止め靴の場合には、ズボン等の裾を止めるという機能を発揮させるために、糸を引き出して、その糸でズボン等の上から膝関節の下側（ふくらはぎの上部の糸がずり落ちない箇所）に、その糸を巻きつけるという作業が必要であり、大変面倒であった。また、糸を靴に収納することに関しては、靴の踵の内部にゼンマイやリール等を設けて、糸の引出しや糸の収納を行うので、構造が複雑になるという問題があった。【解決手段】  本発明の靴１は、踵側で靴底よりも高い場所の外面１１に掛止具４が取り付けられている。【選択図】図１
2014198228.tif 000002
【特許請求の範囲】
【請求項１】
踵側で靴底よりも高い場所の外面に掛止具が取り付けられた靴。
【請求項２】
前記掛止具の前記靴に取り付けるための部分と、前記靴の前記掛止具が取り付けられる部分とには、着脱可能な取付具が備えられている請求項１記載の靴。
【請求項３】
靴の踵側で靴底よりも高い場所の外面に取り付ける手段を備えた靴用掛止具
【発明の詳細な説明】
【技術分野】
【０００１】
本発明は、濡れたり汚れたりしている場所でズボン、パンタロンやスラックス等（以下、ズボン等と略す。）の裾が濡れたり汚れたりすることを防ぐ靴に関する。
【背景技術】
【０００２】
半ズボンを除く通常のズボン等は、ズボン等の下端、所謂裾が足首の近傍まである場合が多く、ズボン等を着用して、雨が降って路面や道等が濡れ、さらには未舗装でぬかるんでいる場合や、公衆トイレ等で床面が汚水等で汚れている場合等に、靴の踵側では、ズボンの後ろ側の裾が濡れたり汚れたりするおそれがあった。
【０００３】
そのため、特許文献１のような裾止め靴が提案されている。
【先行技術文献】
【特許文献】
【０００４】
【特許文献１】特開２００１−１０４０１３号公報
【発明の概要】
【発明が解決しようとする課題】
【０００５】
しかしながら、特許文献１記載の裾止め靴の場合には、ズボン等の裾を止めるという機能を発揮させるために、糸を引き出して、その糸でズボン等の上から膝関節の下側（ふくらはぎの上部の糸がずり落ちない箇所）に、その糸を巻きつけるという作業が必要であり、大変面倒であった。また、糸を靴に収納することに関しては、靴の踵の内部にゼンマイやリール等を設けて、糸の引出しや糸の収納を行うので、構造が複雑になるという問題があった。
【０００６】
また、トイレに座った状態で歩く等の足を動かす動作をしない場合は良いが、歩くような動作をする場合は、ふくらはぎに巻き付けた糸が邪魔になり歩き難いため、濡れた路面を歩くことに関しては考慮されてないという問題があった。
【０００７】
さらには、雨天における土木作業や農作業等で長靴を着用する場合において、布製のズボンの裾は長靴の中に入れても、長靴の中に雨水が侵入することを防ぐために、合羽等の防水処理を施した雨具のズボンの裾を長靴の外側に出すのが普通である。このような場合に、合羽のズボンの裾が濡れたり汚れたりしていれば、事務所や居宅等の屋内の床面を汚すことになり、合羽のズボンを脱いで屋内に入るのでは作業性が悪かった。ところが、土木作業等について、特許文献１記載の裾止め靴を使用することは、前述のように歩く等の行動をすることに関しては考慮されてないので、使用できないという問題があった。
【課題を解決するための手段】
【０００８】
上記の課題を解決するため、本発明では、次の技術的手段を講じている。
【０００９】
第１発明の靴は、踵側で靴底よりも高い場所の外面に掛止具が取り付けられている。
【００１０】
第２発明の靴は、請求項１記載の発明において、前記掛止具の前記靴に取り付けるための部分と、前記靴の前記掛止具が取り付けられる部分とには、着脱可能な取付具が備えられている。
【００１１】
第３発明の靴用掛止具は、靴の踵側で靴底よりも高い場所の外面に取り付ける手段を備えている。
【発明の効果】
【００１２】
以上のような技術的手段を有することにより、以下の効果を有する。
【００１３】
第１発明によれば、ズボン等の後ろ側の裾を靴に設けた掛止具に引っ掛けることができるので、濡れた路面にズボン等の後ろ側の裾を引きずることがなく、ズボン等の後ろ側の裾が濡れたり汚れたりすることはない。
【００１４】
第２発明によれば、第１発明の効果に加えて、雨が降ってない場合等で、ズボン等の後ろ側の裾の濡れや汚れ等を心配する必要がない場合には取り外すことが可能であり、掛止具が邪魔に感じる場合や、靴の美観を気にする使用者に対しても通常の靴と同様に使用することが可能となる。
【００１５】
第３発明によれば、何ら靴側に取り付け手段を有してない市販の靴についても簡単に靴用掛止具を取り付けることが可能であり、市販の靴についても濡れた路面にズボン等の後ろ側の裾を引きずることがなく、ズボン等の後ろ側の裾が濡れたり汚れたりすることはない。
【図面の簡単な説明】
【００１６】
【図１】本発明に係る実施例１の実施状況の説明図である。
【図２】本発明に係る実施例１の掛止具の取り付け方法の説明図である。
【図３】本発明に係る実施例１の掛止具の別の取り付け方法の説明図である。
【図４】本発明に係る実施例２の実施状況を説明するための側面図である。
【図５】本発明に係る実施例２の実施状況を説明するための背面図である。
【図６】本発明に係る実施例３の靴用掛止具の外観図である。
【図７】本発明に係る実施例３の靴用掛止具を靴に取り付けた場合の説明図である。
【図８】本発明に係る実施例３の靴用掛止具を一部変形した場合の外観図である。
【図９】本発明に係る掛止具または靴用掛止具の外観の例を変更した場合の説明図である。
【発明を実施するための形態】
【００１７】
発明を実施する形態について、図面に基づいて具体的に説明する。
【実施例１】
【００１８】
本発明の実施例１の靴１について、図１を用いて説明する。靴１は運動靴を例として図示している。運動靴はあくまでも例示であって、革靴、布製の作業靴、安全靴や長靴等であっても同様に実施できる。靴１の踵側外面１１には掛止具４が設けられている。掛止具４は靴１の踵側外面１１にあって、靴１の履き口１３の外縁１４を掛止具４の上端４１が越えないように取り付けられている。
【００１９】
図１には、人が靴１を履いた状態でのズボン６が破線で示されており、ズボン６の裾６１の後ろ側は、掛止具４と靴１に挟み込まれている。このような状態になるので、ズボン６の裾６１は、後ろ側は掛止具４に挟み込まれ、裾６１の前側は、靴１の甲１５に当たるので、裾６１は濡れた路面等に触れることはなく、裾６１が濡れたり汚れたりすることはない。もっとも、ズボン６のデザインによっては、裾６１の筒が大きく広げられている場合や、裾６１の前側が長く、裾６１の後ろ側が短くされている様な特殊な場合は別であるが、一般的なズボン６の形状であれば、裾６１の濡れや汚れを防止できる。
【００２０】
掛止具４は、後述する靴１に取り付ける方法に適し、掛止具４を靴１に取り付けた場合に、靴１との間でズボンの裾を挟み込むのに適した材質で作られている。掛止具４の材質の例としては、プラスチック等の合成樹脂、ゴムや金属等や、これらを芯材として布、合成皮革や天然皮革等の柔らかな素材を組み合わせたものであり、必要な箇所に適度な弾性と柔軟性を備えたもので構成されている。
【００２１】
図１の掛止具４を靴１への取り付ける方法について、図２を用いて説明する。掛止具４の靴１に取り付けられるための部分（内面の下側の部分）には面ファスナーＡ３１が接着剤や両面テープ等で取り付けられている。また、靴１の踵側外面１１には面ファスナーＢ３２が接着剤や両面テープ等で取り付けられている。面ファスナーＡ３１と面ファスナーＢ３２は、互いに密着させると適度な強度で掛止具４を靴１取り付けることが可能であり、また、掛止具４に強い力を加えると、靴１から掛止具４を取り外すことが可能となっている。
【００２２】
この面ファスナーＡ４２と面ファスナーＢ３２が着脱可能な取付具となる。取付具は面ファスナーＡ４２と面ファスナーＢ３２以外でも実施可能であり、例えば面ファスナーＡ３１と面ファスナーＢ３２の変わりに一組のスナップボタン（ホック）を取り付ける方法によっても良い。なお、スナップボタンの場合には、掛止具４が回転しないように複数個を用いて取り付ける必要がある。
【００２３】
さらに着脱可能な取付具の他の例として、図３を用いて説明する。掛止具５は、下側が水平方向に折り曲げられており、側面から見ると略「Ｌ」字状となっている。水平方向に折れ曲がった部分には、両側面に爪状の突起と、爪状の突起を内側に引っ込める機構が設けられた嵌合部Ａ５１となっている。靴１の踵側外面１１の踵部１６には、嵌合部Ａ５１に嵌合して、嵌合部Ａ５１の２つの爪状の突起に引っ掛かる枠状の嵌合部Ｂ５２が埋め込まれている。この嵌合部Ａ５１と嵌合部Ｂ５２が取付具となり、掛止具５は靴１に着脱自在に取り付けられる。
【００２４】
掛止具４を着脱しなくて良い場合には、接着剤、両面接着テープ等により接着するまたは／および糸により縫合、金属製や合成樹脂製の鋲を使用して止める等により取り付ければ良い。なお、鋲の場合には、掛止具１２が回転しないように複数個を用いて取り付ける必要がある。さらに、接着剤や面ファスナーなどの面積により取り付け強度が異なるものについては、適切な面積を確保して取り付ける。また、掛止具５を着脱しない場合には、嵌合部Ａ５１を靴１の踵部１６に直接埋め込み接着や溶着することで取り付ければ良い。
【００２５】
図３の掛止具５の嵌合部Ａ５１を正面とした見た図（丸囲みの図）には、ズボン６の裾６１が外れ難くするために、横方向に１以上の細長い凸部５３が設けられている。好ましくは、凸部５３の形状を図３のように、凸部５３の先端が下方に向かって傾斜を付ける形状とすると良い。裾が外れ難くい効果が増すためである。また、横方向の細長い凸部ではなく、複数の突起を設けて裾と掛止具５の掛止効果を増すようにしても良い。
【実施例２】
【００２６】
本発明の実施例２の長靴２について、図４および図５を用いて説明する。長靴２における掛止具４の材質や取り付け方法については、実施例１と同様であるので説明を省略する。また、掛止具４で説明しているが、実施例２においても掛止具５を用いても良い。ただ、掛止具４と掛止具５の上方に向かう長さについては、長靴２の履き口２３との関係とは無関係に、合羽のズボン７の裾７１を挟み込んで容易に外れない長さにすれば良い。
【００２７】
図４は、掛止具４が取り付けられた長靴２を側面から見た図であり、図５は掛止具４が取り付けられた長靴２を背面が見た場合の図である。破線で図示されているのは合羽のズボン７であり、二点鎖線で図示されているのは作業員の下腿（ふくらはぎ）部８である。雨天の土木作業における合羽のズボン７と長靴２を含めた作業員の着衣の状態を説明する。作業員は下腿部８に布製の作業ズボンを巻きつけるようにして、長靴２の履き口２３の内部に布製のズボン（図示は省略されている。）を入れている。合羽のズボン７は長靴２の履き口２３を覆うように長靴２外側に出すようにしている。履き口２３から長靴２の内部に雨水が入らないようにするためである。
【００２８】
この状態で、合羽のズボン７の裾７１は、裾７１の後ろ側で掛止具４と長靴２との間に挟み込まれている。このような状態になるので、合羽のズボン７の裾７１は、後ろ側は掛止具４に挟み込まれ、裾７１の前側は、長靴２の甲２５に当たるので、裾７１は土木作業現場の水を含んだ土に触れることはなく、裾７１が濡れたり汚れたりすることはない。
【実施例３】
【００２９】
図６は、実施例３の靴用掛止具９の外観図である。靴用掛止具９は、靴中敷き部９１と、靴中敷き部９１の踵側に略垂直に連なる立ち上げ部９２と、立ち上げ部９２の上端で、ヘアーピン状に外側に向かって下方に折り曲げられた内側掛止部９３と、内側掛止部９３の下端側で、ヘアーピン状に外側に向かって上方に折り曲げられた外側掛止部９４とから構成されててる。
【００３０】
靴中敷き部９１は靴の内部において中敷き（インソール）として使用されるものであるから、靴の内側底面の形状に合わせた形状及び大きさになっている。好ましくは、中敷きとして利便性を向上させるクッション性、消臭性や吸湿性を備えた材質を選択するか、クッション性、消臭性や吸湿性を有した材質を上側の表面に貼り付けるようにすると良い。なお、靴用掛止具９は右用の靴に対応するものであり、左用の靴に対応させる場合は、靴中敷き部９１の形状を左用の靴の内側底面の形状に合わせた形状及び大きさになる。左用靴の靴用掛止具９については、靴中敷き部９１の形状が異なるだけであるので、以下説明を省略する。
【００３１】
立ち上げ部９２については、靴中敷き部９１から略垂直に立ち上げられた状態を維持することが出来る適度な強度を有するように、材質と材質に合わせた断面を有している。例えば、材質をプラスチック等の合成樹脂、ゴムや金属等にした場合には、選択した材質で適度な強度を有するように、立ち上げ部９２の断面積（幅と厚み）を求めて形成されている。なお、立ち上げ部９２は靴の中で、足の踵付近に接することになるので、立ち上げ部９２の厚みについては出来るだけ薄くして、靴の内面の湾曲部に沿う形状に成形されており、立ち上げ部９２で足の踵付近に接する可能性がある部分には、足を保護するための布や皮等の柔らかな材質が表面に貼付されている。
【００３２】
内側掛止部９３と外側掛止部９４については、内側掛止部９３と外側掛止部９４との両方でズボンの裾を挟み込むことに必要な形状となる、内側掛止部９３と外側掛止部９４の両方が相対するような大きさで適度の幅を有した短冊型の形状としている。また、内側掛止部９３と外側掛止部９４の材質については、ズボンの裾を挟み込んで掛止効果を維持できる弾性を有した材質、例えばプラスチック等の合成樹脂、ゴムや金属等で形成されている。なお、外側掛止部９４の内側掛止部９３に向かい合う面には実施例１と同様に掛止効果を向上させる凸部５３ａが設けられている。
【００３３】
靴中敷き部９１と立ち上げ部９２の略垂直の状態を維持することが必用であるので、靴中敷き部９１、立ち上げ部９２、内側掛止部９３と外側掛止部９４を一体として靴用掛止具９を形成する場合には適当な弾力と強度を有した金属や合成樹脂等により成型する。なお、一体として成型することなく各部の要求される機能の適切なものを選択してこれを接合して形成させるようにしても良い。
【００３４】
図７は、靴側に取り付け手段を有してない靴１ａの中に靴用掛止具９を装着した状態の図である。破線で示す靴１ａの内部に靴用掛止具９は装着されており、一点鎖線で示したズボン６の裾６１を内側掛止部９３と外側掛止部９４とで挟み込んだ状態となっている。この様にすれば、市販の靴１１ａについても濡れた路面にズボン６の後ろ側の裾６１を引きずることがなく、ズボン６の後ろ側の裾６１が濡れたり汚れたりすることはない。
【００３５】
なお、靴用掛止具９については、靴中敷き部９１から立ち上げる構造としているが、図８で示しているように、靴用掛止具９ａのように、靴中敷き部９１を無くして、立ち上げ部９２ａと内側掛止部９３で、靴の踵側を挟み込むようにして靴に装着するようにしても良い。
【００３６】
以上、本発明について、実施例に基づき説明してきたが、本発明は何らこれらの実施例の構成に限定するものではない。例えば、掛止具４、掛止具５や靴用掛止具９、９ａの形状を略「短冊」型として説明しているが、図９に示すような下端４２が広く、上端４１に向かうほど幅を狭くする「台形」型の掛止具４ａとしても良い。また掛止具については靴との間で裾を適切に挟むことができればその他の形状でも良い。さらには、材質についても一例であり必要な機能を満たせばその他の材料を使用しても実施可能である。
【符号の説明】
【００３７】
１、１ａ：靴
２：長靴
４、４ａ、５：掛止具
６：ズボン
７：合羽ズボン
８：下腿部
９、９ａ：靴用掛止具
１１：踵側外面
１３、２３：履き口
１４：外縁
１５、２５：甲
１６：踵部
３１：面ファスナーＡ
３２：面ファスナーＢ
４１：上端
４２：下端
５１：嵌合部Ａ
５２：嵌合部Ｂ
５３、５３ａ：凸部
６１、７１：裾
９１：靴中敷き部
９２、９２ａ：立ち上げ部
９３：内側掛止部
９４：外側掛止部
【図１】
2014198228.tif 000003
【図２】
2014198228.tif 000004
【図３】
2014198228.tif 000005
【図４】
2014198228.tif 000006
【図５】
2014198228.tif 000007
【図６】
2014198228.tif 000008
【図７】
2014198228.tif 000009
【図８】
2014198228.tif 000010
【図９】
2014198228.tif 000011